(57)【要約】【課題】片側基準の用紙搬送装置において、フィードローラとプレスローラとによる、用紙の送り出し方向の調整機構の構造が複雑である。【解決手段】記録紙の搬送経路Ａの側方に配置される基準面４２に押し当てながら、記録紙を正規の搬送方向Ｄｒに搬送する片側基準の記録紙搬送装置３であって、記録紙の送り出し手段を、回転駆動されるフィードローラ３０と、このフィードローラ３０に押し当てられるプレスローラ３１と、で構成し、プレスローラ３１と、このプレスローラ３１を回動自在に支持する支持フレーム３３と、を備えるプレスローラユニット１３１が、基準面４２に対して固定されるガイドフレーム５０に単体で取り付け可能に構成されると共に、プレスローラ３１の回転軸を基準面４２に対して傾けるようにプレスローラユニット１３１をガイドフレーム５０に固定することで、前記斜行する方向に記録紙を送り出し可能とする。【選択図】図２
2006347731.tif 000002
【特許請求の範囲】
【請求項１】
正規の搬送方向に対して斜行する方向に用紙を送り出して、前記用紙の搬送経路の側方に配置される基準面に押し当てながら、前記用紙を前記正規の搬送方向に搬送する片側基準の用紙搬送装置であって、
前記用紙の送り出し手段を、回転駆動されるフィードローラと、このフィードローラに押し当てられるプレスローラと、で構成し、
前記プレスローラと、このプレスローラを回動自在に支持する支持部材と、を備えるプレスローラユニットが、前記基準面に対して固定される取付フレームに単体で取り付け可能に構成されると共に、
前記プレスローラの回転軸を前記基準面に対して傾けるように前記プレスローラユニットを前記取付フレームに取り付けることで、前記斜行する方向に前記用紙を前記送り出し手段により送り出し可能とする、
ことを特徴とする用紙搬送装置。
【請求項２】
前記支持部材と前記取付フレームとには、互いに係合する係合部である係合凸部および係合受け部のうち、相手と異なる係合部がそれぞれ設けられると共に、
前記係合受け部には、前記係合凸部と係合する係合凹部が、前記基準面に対する前記プレスローラの前記軸の傾斜角度が複数の異なる角度で位置決め可能となるように、複数形成される、
ことを特徴とする請求項１に記載の用紙搬送装置。
【請求項３】
前記プレスローラの幅は、搬送対象とする前記用紙の用紙幅よりも狭く形成されると共に、
前記プレスローラは、そのプレスローラの軸方向では単数のみ設けられる、
ことを特徴とする請求項１または請求項２に記載の用紙搬送装置。
【発明の詳細な説明】
【技術分野】
【０００１】
本発明は、正規の搬送方向に対して斜行する方向に用紙を送り出して、前記用紙の搬送経路の側方に配置される基準面に押し当てながら、前記用紙を前記正規の搬送方向に搬送する片側基準の用紙搬送装置に関する。
【背景技術】
【０００２】
プリンタ等に備えられる用紙搬送装置には、一対の対向して配置されるローラ、フィードローラおよびプレスローラで構成される用紙の送り出し手段が、備えられている。このフィードローラやプレスローラの軸に撓みがあったり、これらのローラ自体の偏心によって、用紙が正規の搬送方向から斜行して、搬送されてしまう不具合がある。用紙が斜行して搬送されると、プリンタの場合は、良好な印刷結果が得られないことになる。このような不具合の発生を防止するために、用紙の送り出し手段による用紙の送り出し方向を調整可能とする用紙搬送装置が、例えば特許文献１・２に開示されている。
【０００３】
前述したような用紙搬送における斜行の不具合は、片側基準の用紙搬送装置においても同様である。ここで、片側基準の用紙搬送装置とは、搬送経路の側方に配置される基準面に押し当てるように、正規の搬送方向に対して斜行する方向に用紙を送り出す用紙搬送装置のことである。ここで、用紙の送り出し手段による用紙の送り出し方向は正規の搬送方向に対して傾いているが、用紙が基準面に押し当てられることにより、結果として用紙は、正規の搬送方向に搬送される。
片側基準の用紙搬送装置の場合、用紙の送り出し装置により、用紙を送り出す角度が小さくて基準面への押し当てが不十分だと、つまり基準面に当たらないで搬送されると、用紙が斜行して搬送されることになる。一方、用紙の送り出し装置により、用紙を送り出す角度が大きくて基準面への押し当てが過剰となると、用紙がダメージを受け、ジャム発生の原因ともなる。
したがって、このような片側基準の用紙搬送装置においても、用紙の送り出し方向を調整可能とすることで、用紙が斜行して搬送される不具合を防止することができる。
【特許文献１】特開２００１−３３５１６６号公報
【特許文献２】特開平８−２６８６１０号公報
【発明の開示】
【発明が解決しようとする課題】
【０００４】
前述した斜行搬送の発生原因は、装置毎に異なる搬送特性、つまり、各用紙搬送装置を構成する部品の精度のバラツキや、組立誤差等によるものである。したがって、製造時に用紙の送り出し装置による送り出し方向を調整すれば、多くの場合対応可能な問題である。
ところが、特許文献１・２に開示される用紙搬送装置は、用紙の送り出し方向を、使用状態において随時調整可能とする構成であり、装置構成が複雑であってコストアップを招くものとなっている。
【０００５】
つまり、解決しようとする問題点は、片側基準の用紙搬送装置において、フィードローラとプレスローラとによる、用紙の送り出し方向の調整機構の構造が複雑である点、である。
【課題を解決するための手段】
【０００６】
本発明の解決しようとする課題は以上の如くであり、次にこの課題を解決するための手段を説明する。
【０００７】
即ち、請求項１においては、
正規の搬送方向に対して斜行する方向に用紙を送り出して、前記用紙の搬送経路の側方に配置される基準面に押し当てながら、前記用紙を前記正規の搬送方向に搬送する片側基準の用紙搬送装置であって、
前記用紙の送り出し手段を、回転駆動されるフィードローラと、このフィードローラに押し当てられるプレスローラと、で構成し、
前記プレスローラと、このプレスローラを回動自在に支持する支持部材と、を備えるプレスローラユニットが、前記基準面に対して固定される取付フレームに単体で取り付け可能に構成されると共に、
前記プレスローラの回転軸を前記基準面に対して傾けるように前記プレスローラユニットを前記取付フレームに取り付けることで、前記斜行する方向に前記用紙を前記送り出し手段により送り出し可能とする、ものである。
【０００８】
請求項２においては、
前記支持部材と前記取付フレームとには、互いに係合する係合部である係合凸部および係合受け部のうち、相手と異なる係合部がそれぞれ設けられると共に、
前記係合受け部には、前記係合凸部と係合する係合凹部が、前記基準面に対する前記プレスローラの前記軸の傾斜角度が複数の異なる角度で位置決め可能となるように、複数形成される、ものである。
【０００９】
請求項３においては、
前記プレスローラの幅は、搬送対象とする前記用紙の用紙幅よりも狭く形成されると共に、
前記プレスローラは、そのプレスローラの軸方向では単数のみ設けられる、ものである。
【発明の効果】
【００１０】
本発明の効果として、以下に示すような効果を奏する。
【００１１】
請求項１においては、
プレスローラユニットを前記取付フレームに取り付ける角度のみ調整すれば用紙の送り出し方向を変えることができ、用紙の送り出し方向の調整機構の構造が簡素化されている。
【００１２】
請求項２においては、
前記プレスローラユニットを、複数の異なる前記傾斜角度で択一的に位置決めして固定することができ、用紙の送り出し方向の調整が容易である。
【００１３】
請求項３においては、
前記用紙を前記基準壁に送り出すという目的を達成しながら、前記プレスローラの幅が短縮されると共に配設数が極小化され、前記送り出し手段のコストアップが防止される。
【発明を実施するための最良の形態】
【００１４】
本発明の一実施の形態を、図面を用いて説明する。
【００１５】
図１に示すプリンタ１は、給紙装置２と、本実施の形態である記録紙搬送装置３と、画像形成用の各種プロセス装置と、を備えている。
前記各種プロセス装置としては、感光体４と、感光体４を中心に配置される帯電ユニット５、露光ユニット６、現像ユニット７、転写ユニット８、クリーニングユニット９と、定着ユニット１０と、がある。
記録紙搬送装置３により、給紙装置２から供給された記録紙は、プリンタ１内に形成される記録紙の搬送経路Ａに沿って搬送され、この搬送中に、前記各種プロセス装置により、記録紙上に画像形成が行われる。
【００１６】
図１に示すように、記録紙の搬送経路ＡはＵ字状に形成されており、図１において、搬送経路Ａはまず、左から右に向けて形成され、次いでＵターンして右から左に向けて形成される。
搬送経路Ａの始端部には給紙装置２が配置されており、給紙装置２内のフラッパ２１上に載置される記録紙は、ピックアップローラ２２により、搬送経路Ａへと送り出される。
【００１７】
記録紙搬送装置３は、搬送経路Ａに沿って配置される、記録紙の送り出し手段および記録紙の搬送ガイドの集合体である。
搬送経路Ａに沿って、記録紙の送り出し手段として、前記ピックアップローラ２２、第一搬送ローラ装置１１、第二搬送ローラ装置１２、ドラム状の感光体４および転写ユニット８に備える転写ローラ８１、定着ユニット１０に備えるヒートローラ１０１およびプレスローラ１０２、排出ローラ装置１３、が配置されている。排出ローラ装置１３は、搬送経路Ａの終端部に位置する。
また、搬送経路Ａに沿って、記録紙の搬送方向を案内するための搬送ガイドが、搬送経路Ａを囲うように配置されている。
記録紙は、搬送ガイド内で、これらの各送り出し手段により順次受け渡されて送り出されることで、搬送経路Ａに沿って搬送される。
【００１８】
第一搬送ローラ装置１１、第二搬送ローラ装置１２、排出ローラ装置１３は、駆動源により積極駆動されるフィードローラと、このフィードローラに接触するように配置されるプレスローラと、を備えており、フィードローラとプレスローラとの間に、記録紙をニップして送り出す装置である。
ドラム状の感光体４および転写ローラ８１や、ヒートローラ１０１およびプレスローラ１０２も、記録紙をニップして送り出す一対のローラとして機能する。
【００１９】
図１、図２を用いて、Ｕ字の屈曲部の周辺部の構成を説明する。
図１に示すように、搬送経路ＡにおけるＵ字の屈曲部には、搬送経路Ａに沿って記録紙を案内する搬送ガイドとして、ガイドフレーム４０・５０が設けられている。
また、このＵ字の屈曲部には、第一搬送ローラ装置１１が配置されている。第一搬送ローラ装置１１は、前記Ｕ字の屈曲部の最底部（図１における最右端部）に配置されるフィードローラ３０と、このフィードローラ３０に接触するように配置される第一プレスローラ３１および第二プレスローラ３２と、を備えている。
【００２０】
前記Ｕ字の屈曲部において、ガイドフレーム４０と、ガイドフレーム５０とは、搬送経路Ａを挟んで対向して配置されており、ガイドフレーム４０は搬送経路Ａの下側（前記Ｕ字の内側）に位置し、ガイドフレーム５０は搬送経路Ａの上側（前記Ｕ字の外側）に位置する。ガイドフレーム４０とガイドフレーム５０との間に形成される搬送経路（搬送経路Ａの一部）は、Ｕ字を半分にしたＪ字状の経路であり、搬送経路ＡのＵ字の屈曲部の上半分の経路である。搬送経路ＡのＵ字の屈曲部の下半分の経路は、給紙装置２内に同じく対向して配置される一対のガイドフレームの間に、形成されている。
【００２１】
ガイドフレーム４０と、ガイドフレーム５０とには、搬送経路Ａの延出方向に沿って、搬送経路Ａの幅を決定する経路ガイド面が形成されている。経路ガイド面は、搬送経路Ａを囲うガイド面のうち、搬送経路Ａに沿って搬送される記録紙の紙面に対向する部位に配置されているガイド面である。
【００２２】
図２に示すように、前記下側のガイドフレーム４０の内面には、搬送経路Ａの延出方向に沿って、経路ガイド面４１が形成されている。同様に、ガイドフレーム５０の内面にも、経路ガイド面が形成されている。そして、ガイドフレーム４０の経路ガイド面４１と、ガイドフレーム５０の各経路ガイド面と、により、前記Ｕ字の屈曲部における搬送経路Ａの幅が決定されている。
【００２３】
また、経路ガイド面には搬送経路Ａに沿ってリブが並列に複数形成されており、記録紙が実際に接触するのは、経路ガイド面上のリブである。経路ガイド面４１には、リブ４１ａ（図２）が形成されている。
【００２４】
ガイドフレーム４０には、搬送経路Ａの（記録紙搬送方向における）各側方に、左右規制ガイド面が形成されている。左右規制ガイド面は、搬送経路Ａの両側方に設けられており、記録紙の搬送経路Ａからの脱落を防止するものである。特に、左右の一方の左右規制ガイド面は、片側基準の記録紙搬送における基準面４２である。この基準面４２は、片側基準の記録紙搬送において、記録紙を突き当てる対象となる基準面である。
片側基準の記録紙搬送においては、記録紙の送り出し手段（第一搬送ローラ装置１１等）により、搬送経路の側方に配置される基準面に記録紙を押し当てるように、正規の搬送方向Ｄｒに対して斜行する方向に記録紙が送り出される。前記Ｕ字の屈曲部において、第一搬送ローラ装置１１は、搬送経路Ａの側方に配置される基準面４２に記録紙が突き当てられるように、正規の搬送方向Ｄｒに対して斜行するように記録紙を送り出すものである。
そして、基準面４２で記録紙の端部位置が位置決めされた状態で、搬送経路Ａに沿って、その記録紙が搬送されるようにしている。
【００２５】
ここで、正規の搬送方向Ｄｒとは、搬送経路Ａの延設方向と一致するものであって、各種プロセス装置を経由する記録紙搬送において、望ましい記録紙の搬送方向のことである。さらに言えば、正規の搬送方向Ｄｒは、基準面４２の形成方向と平行となるものである。
【００２６】
第一搬送ローラ装置１１は、記録紙を、正規の搬送方向Ｄｒに対して基準面４２側に傾いた方向に送り出すべく、次のように構成されている。
【００２７】
まず、フィードローラ３０の回転方向が、正規の搬送方向Ｄｒと平行となるように、フィードローラ３０がガイドフレーム４０に対して固定されている。つまり、フィードローラ３０の軸方向は、正規の搬送方向Ｄｒに対して直交する状態にある。これに対して、第一プレスローラ３１のフィードローラ３０とのニップ部における回転方向は、正規の搬送方向Ｄｒに対して傾くように、第一プレスローラ３１がガイドフレーム４０に対して固定されている。つまり、第一プレスローラ３１の軸方向は、フィードローラ３０の軸方向に対して傾けられた状態にある。このため、フィードローラ３０と第一プレスローラ３１とにニップされて送り出される記録紙の送り出し方向（第一送出方向Ｄ１）は、正規の搬送方向Ｄｒに対して傾けられている。この第一送出方向Ｄ１は、正規の搬送方向Ｄｒに対して基準壁４２側に傾けられている。
【００２８】
一方、第二プレスローラ３２のフィードローラ３０とのニップ部における回転方向は、正規の搬送方向Ｄｒと平行となるように、第二プレスローラ３２がガイドフレーム４０に対して固定されている。このため、フィードローラ３０と第二プレスローラ３２とにニップされて送り出される記録紙の送り出し方向（第二送出方向Ｄ２）は、正規の搬送方向Ｄｒに一致する。
【００２９】
ここで、第一送出方向Ｄ１は、必ずしも、第一プレスローラ３１のフィードローラ３０とのニップ部における回転方向（半径方向）、に一致するものではない。
記録紙は、フィードローラ３０と第一プレスローラ３１との双方に摩擦接触した状態では、フィードローラ３０の回転方向の影響を受けて正規の搬送方向Ｄｒに力を受け、第一プレスローラ３１の回転方向の影響を受けて基準壁４２側へ力を受け、この相互作用により、第一送出方向Ｄ１に向けて送り出される。
【００３０】
以上構成により、記録紙は、フィードローラ３０と第一プレスローラ３１とにニップされた部位では、正規の搬送方向Ｄｒに対して基準壁４２側に傾けられた第一送出方向Ｄ１に向けて、送り出されるが、フィードローラ３０と第二プレスローラ３２とにニップされた部位では、正規の搬送方向Ｄｒと平行な第二送出方向Ｄ２に沿って送り出される。
つまり、記録紙の一部は第一送出方向Ｄ１に送り出され、同じ記録紙の別の一部は正規の搬送方向Ｄｒに送り出されることになる。このため、第一搬送ローラ装置１１の全体により、記録紙が、正規の搬送方向Ｄｒに対して基準壁４２側に傾けられた方向（第一送出方向Ｄ１より緩い角度方向）へと、送り出される。
【００３１】
前記プレスローラ３１・３２は、ガイドフレーム４０に対向するガイドフレーム５０に取り付けられる構成である。これらのプレスローラ３１・３２を、それぞれ単体でガイドフレーム５０に取り付け可能となるように、各プレスローラとその支持部材とを一体化してなるプレスローラユニットが構成されている。
第一プレスローラ３１が含まれるプレスローラユニット１３１と、第二プレスローラ３２が含まれるプレスローラユニット１３２とは、同様の構成であるので、以下では、プレスローラユニット１３１について説明する。
【００３２】
図２、図３（ａ）に示すように、プレスローラユニット１３１は、第一プレスローラ３１と、この第一プレスローラ３１を回転自在に支持する支持フレーム３３と、から構成される。
なお、図２においては、プレスローラユニット１３１と、プレスローラユニット１３２とが、取り付けられているガイドフレーム５０は、図示せず省略している。
【００３３】
支持フレーム３３は、第一プレスローラ３１の軸方向より見てＬ字状であって、該Ｌ字の底辺部分がプレスローラ３２の支持部３３ａで、該Ｌ字の縦辺部分の先端がガイドフレーム５０への取付部３３ｂとなっている。また、支持フレーム３３を、第一プレスローラ３１とフィードローラ３０とを同時に横切る第一プレスローラ３１の径方向から見る（図３（ａ））と、矩形状である。
【００３４】
以上構成により、ガイドフレーム５０に取付部３３ａを固定することで、プレスローラユニット１３１がガイドフレーム５０に支持され、第一プレスローラ３１がガイドフレーム５０に支持されることになる。
【００３５】
支持フレーム３３は、薄い金属製のＴ字状の板状物を、Ｔ字の横辺を左右から中央側に折曲して、前記支持部３３ａを形成して構成するものである。したがって、Ｔ字の縦辺の底部に位置する取付部３３ｂと、Ｔ字の上部（縦辺の上部および横辺）に位置する支持部３３ａとの間で、弾性を有するものとなっている。そして、ガイドフレーム５０にプレスローラユニット１３１を取り付けた状態において、第一プレスローラ３１がガイドフレーム５０に対して弾性的に支持される。
つまり、支持フレーム３３は、プレスローラユニット１３１のガイドフレーム５０への取付状態において、第一プレスローラ３１をフィードローラ３０側へ弾性的に支持する手段となっている。
【００３６】
そして、ガイドフレーム５０にプレスローラユニット１３１を取り付けると、プレスローラユニット１３１の第一プレスローラ３１が、フィードローラ３０に対して押し付けられた状態となる。
また、プレスローラユニット１３２も、ガイドフレーム５０に取り付けられるように構成されており、ガイドフレーム５０にプレスローラユニット１３２を取り付けると、第二プレスローラ３１もフィードローラ３０に対して押し付けられた状態となる。
【００３７】
図３を用いて、プレスローラユニット１３１のガイドフレーム５０への取付について説明する。
図３（ａ）に示すように、ガイドフレーム５０には、搬送経路Ａに対する内外面を貫通する開口５０ａが形成されると共に、この開口５０ａの近傍位置で、ガイドフレーム５０の外面（反搬送経路Ａ側の面）上にプレスローラユニット１３１の取付部３３ｂが取り付けられるように構成されている。なお、ガイドフレーム５０の内面（搬送経路Ａ側の面）は、ガイドフレーム４０の経路ガイド面４１に対向する前記経路ガイド面である。
ガイドフレーム５０にプレスローラユニット１３１が取り付けられると、第一プレスローラ３１は、開口５０ａを介してガイドフレーム５０よりも搬送経路Ａ側へ突出し、フィードローラ３０の外周面に押し当てられる。
【００３８】
支持フレーム３３は、ガイドフレーム５０にネジ止めにより固定される構成であり、取付部３３ｂにネジの軸部のみを挿通する挿通孔３３ｃが形成されると共に、ガイドフレーム５０にネジ孔５０ｂが形成されている。
また、ガイドフレーム５０に対する支持フレーム３３の位置決め手段として、ガイドフレーム５０には係合用リブ５０ｃが形成されると共に、取付部３３ｂには係合用リブ５０ｂと係合する係合凹部３３ｄ１・３３ｄ２・３３ｄ３が形成されている。係合凹部３３ｄ１・３３ｄ２・３３ｄ３の集合を、係合受け部３３ｄとする。
【００３９】
図３（ｂ）に示すように、係合用リブ５０ｃは、係合凹部３３ｄ１・３３ｄ２・３３ｄ３のいずれか一つに択一的に係合される。
係合凹部３３ｄ１・３３ｄ２・３３ｄ３の形成部位は、いずれも、挿通孔３３ｃの軸心を中心とする円弧上であり、挿通孔３３ｃからの距離が同一であるが、その形成方向が異なるものとなっている。そして、係合凹部３３ｄ１・３３ｄ２・３３ｄ３のいずれか一つに係合用リブ５０ｃを係合させて位置決めした状態で、挿通孔３３ｃを介してネジ孔５０ｂに締結用のネジを挿入して、ガイドフレーム５０にプレスローラユニット１３１を固定することが可能である。
【００４０】
係合凹部３３ｄ１・３３ｄ２・３３ｄ３のどれに係合用リブ５０ｃを係合させるかによって、第一プレスローラ３１の姿勢（軸の傾き）が変化する。つまり、第一プレスローラ３１のフィードローラ３０とのニップ部における回転方向が変化し、前記第一送出方向Ｄ１の正規の搬送方向Ｄｒに対する傾きが変化する。
【００４１】
ガイドフレーム５０上の係合用リブ５０ｃの形成方向は、例えば、正規の搬送方向Ｄｒに対して、５度の傾きを有する方向である。したがって、プレスローラユニット１３１を係合用リブ５０ｃに対して垂直、つまり第一プレスローラ３１の軸方向が係合用リブ５０ｃの形成方向に対して垂直、に取り付けた状態において、既に、第一送出方向Ｄ１が正規の搬送方向Ｄｒに対して傾いたものとなる。
一方、係合凹部３３ｄ１・３３ｄ２・３３ｄ３は、基準壁４２に対して、例えば、−３度、０度、３度、となるように形成される。
この場合、第一プレスローラ３１のフィードローラ３０とのニップ部における回転方向は、正規の搬送方向Ｄｒに対して、係合用リブ５０ｃを係合凹部３３ｄ１に係合されば２度、係合凹部３３ｄ２に係合されば５度、係合凹部３３ｄ３に係合されば８度、ずれる。したがって、係合用リブ５０ｃに係合させる係合凹部を変えることで、前記第一送出方向Ｄ１の正規の搬送方向Ｄｒに対する傾きが三段階で変化する。
【００４２】
このように係合用リブ５０ｃに係合させる係合凹部を変えることで、フィードローラ３０と第一プレスローラ３１とによって、記録紙を基準壁４２に向けて送り出す方向（第一送出方向Ｄ１）が変化し、基準壁４２に記録紙が押し当てられる程度が変化する。
【００４３】
以上構成において、第一プレスローラ３１の取付姿勢は、挿通孔３３ｃの軸心を支点位置として調整される。ここで、挿通孔３３ｃは、第一プレスローラ３１の軸中心位置から、第一プレスローラ３１の径方向で、所定距離離間した位置にある。また、挿通孔３３ｃと第一プレスローラ３１との離間距離は、挿通孔３３ｃと各係合凹部との離間距離よりも、大きく形成されている。このため、係合凹部３３ｄ１・３３ｄ２・３３ｄ３の集合である係合受け部３３ｄをコンパクトにしながら、第一プレスローラ３１の姿勢を適切に変化させることが可能である。
【００４４】
片側基準の記録紙搬送を行うための第一搬送ローラ装置１１は、記録紙を、正規の搬送方向Ｄｒに対して基準面４２側に傾いた方向に送り出して、基準面４２に記録紙の端部を押し当てることで、搬送される記録紙の位置決めを行なって、記録紙を正規の搬送方向Ｄｒに搬送させるものである。
このため、第一搬送ローラ装置１１による記録紙の送り出し方向の精度は、必ずしも高水準を要求されるわけではなく、要は、基準面４２側に斜行するように記録紙を送り出すことができればよい。
【００４５】
一方、記録紙を正規の搬送方向Ｄｒに位置決めされるように保持しながら、この正規の搬送方向Ｄｒに沿って送り出す場合には、記録紙の全幅に及ぶような長手のローラか、すくなくとも記録紙の幅方向で均一に送り出し力を付与するように、この幅方向で左右均等に配置されたローラ群、を用いる必要がある。
【００４６】
つまり、片側基準の記録紙搬送においては、記録紙の幅方向で、記録紙に均一に送り出し力を付与する必要も無い。そこで、第一搬送ローラ装置１１を構成する各ローラ３０・３１・３２は、記録紙の幅方向において、基準壁４２側に配置されると共に、各ローラ３０・３１・３２の幅は、プリンタ１において搬送対象とする前記記録紙の幅よりも狭く形成されている。
このようにして、記録紙を基準壁４２に送り出すという目的を達成しながら、各ローラ３０・３１・３２の幅を短縮し、配設数を極小化することで、片側基準の記録紙搬送に必要な記録紙の送り出し手段（第一搬送ローラ装置１１）のコストアップを防止している。当然ながら、記録紙の幅方向において、各ローラ３０・３１・３２は単数のみ設けられる構成であり、例えば、第一プレスローラ３１の軸方向上に、他のプレスローラ等のローラは配置されていない。
【００４７】
本発明の用紙搬送装置をまとめる。
第一の発明たる用紙搬送装置は、正規の搬送方向に対して斜行する方向に用紙を送り出して、前記用紙の搬送経路の側方に配置される基準面に押し当てながら、前記用紙を前記正規の搬送方向に搬送する片側基準の用紙搬送装置である。
前記用紙の送り出し手段は、回転駆動されるフィードローラと、このフィードローラに押し当てられるプレスローラと、で構成される。
前記プレスローラと、このプレスローラを回動自在に支持する支持部材と、を備えるプレスローラユニットが、前記基準面に対して固定される取付フレームに単体で取り付け可能に構成される。前記プレスローラの回転軸を前記基準面に対して傾けるように前記プレスローラユニットを前記取付フレームに取り付けることで、前記斜行する方向に前記用紙を前記送り出し手段により送り出し可能とする。
【００４８】
本実施の形態では、前記用紙を画像形成用の記録紙としている。また、記録紙搬送装置３において、Ｕ字状の搬送経路Ａの屈曲部において、片側基準の用紙搬送が行なわれる構成である。この部位には、搬送経路Ａを挟んでガイドフレーム４０・５０が配置されると共に、この部位における用紙の送り出し手段として、第一搬送ローラ装置１１が配置されている。片側基準となる基準壁４２は、ガイドフレーム４０に形成されている。第一搬送ローラ装置１１には、フィードローラ３０と、このフィードローラ３０に押し当てられる第一プレスローラ３１および第二プレスローラ３２と、が備えられている。第一プレスローラ３１は、この第一プレスローラ３１を支持する支持フレーム３３と、を備えるプレスローラユニット１３１が構成されると共に、このプレスローラユニット１３１は、ガイドフレーム５０にネジ締結により単体で取り付け可能に構成されている。ガイドフレーム５０は、ガイドフレーム４０に対して固定される構成であり、基準壁４２に対して固定される取付フレームである。第一プレスローラ３１の軸を基準面４２に対して傾けるようにプレスローラユニット１３１をガイドフレーム５０に固定することで、前記斜行する方向に記録紙を第一搬送ローラ装置１１により送り出し可能としている。
【００４９】
以上構成により、プレスローラユニットの取付角度を調整して固定することで、前記送り出し手段により送り出される用紙の送り出し方向が変化する。
このため、プレスローラユニットを前記取付フレームに取り付ける角度のみ調整すれば用紙の送り出し方向を変えることができ、用紙の送り出し方向の調整機構の構造が簡素化されている。
【００５０】
第二の発明たる用紙搬送装置は、前記第一の発明において、次の構成としたものである。
前記支持部材と前記取付フレームとには、互いに係合する係合部である係合凸部および係合受け部のうち、相手と異なる係合部がそれぞれ設けられる。
また、前記係合受け部には、前記係合凸部と係合する係合凹部が、前記基準面に対する前記プレスローラの前記軸の傾斜角度が複数の異なる角度で位置決め可能となるように、複数形成されるものである。
【００５１】
本実施の形態では、前記支持部材は支持フレーム３３であり、前記取付フレームはガイドフレーム５０である。ガイドフレーム５０には前記係合凸部である係合用リブ５０ｃが形成され、支持フレーム３３には、係合用リブ５０ｃと係合する係合凹部が複数形成されており、係合凹部３３ｄ１・３３ｄ２・３３ｄ３である。係合凹部３３ｄ１・３３ｄ２・３３ｄ３の全体が係合受け部３３ｄである。前記係合凹部は、第一プレスローラ３１の軸の傾斜角度が複数の異なる角度で位置決め可能となるように、複数形成されている。
【００５２】
このため、前記プレスローラユニットを、複数の異なる前記傾斜角度で択一的に位置決めして固定することができ、用紙の送り出し方向の調整が容易である。
【００５３】
第三の発明たる用紙搬送装置は、前記第一または第二の発明において、次の構成としたものである。
前記プレスローラの幅は、搬送対象とする前記用紙の用紙幅よりも狭く形成されると共に、前記プレスローラは、そのプレスローラの軸方向では単数のみ設けられるものである。
【００５４】
このため、前記用紙を前記基準壁に送り出すという目的を達成しながら、前記プレスローラの幅が短縮されると共に配設数が極小化され、前記送り出し手段のコストアップが防止される。
【図面の簡単な説明】
【００５５】
【図１】プリンタの内部構成を示す断面図である。
【図２】片側基準の記録紙搬送に係わる装置構成を示す斜視図である。
【図３】プレスローラユニットの取り付け構成を示す図であり、（ａ）図は全体図、（ｂ）図は係合部の構成を示す図、である。
【符号の説明】
【００５６】
１    プリンタ
１１    第一搬送ローラ装置
３０    フィードローラ
３１    第一プレスローラ
３３    支持フレーム
３３ｄ    係合受け部
３３ｄ１    係合凹部
３３ｄ２    係合凹部
３３ｄ３    係合凹部
４０    ガイドフレーム
４２    基準面
５０    ガイドフレーム
５０ｃ    係合用リブ
１３１    プレスローラユニット
【図１】
2006347731.tif 000003
【図２】
2006347731.tif 000004
【図３】
2006347731.tif 000005